(57)【特許請求の範囲】
【請求項１】
位置調整ねじを有し、本体部の対向する側壁に設けられた受け金具と、一端が前記本体部の対向する側壁に摺動可能に取付けられ、他端が吊りボルトに固定された吊り金具とを備え、
前記位置調整ねじにより前記本体部を前記吊り金具に沿って上下方向に摺動させ、前記本体部の位置を調整するように構成したものであり、
前記受け金具は、垂直片が前記本体部の対向する側壁に固定され、水平片に前記位置調整ねじが設けられる左右各一対のＬ字状の受け金具であり、
前記吊り金具は、垂直片に上下方向に長い一対の長穴を有し、水平片に先端部に開口する切欠き部及び前記位置調整ねじが螺入されるナットが設けられた左右各一対のＬ字状の吊り金具であり、
前記ナットは、前記切欠き部と前記吊り金具の垂直片との間に配置されており、
前記吊り金具の垂直片を長穴を介して前記本体部の側壁に摺動可能に取付けると共に、前記水平片の切欠き部を前記吊りボルトに嵌合してナットで固定し、
前記受け金具に設けた位置調整ねじを前記吊り金具の水平片に設けたナットに螺入して前記本体部の上下方向の位置を調整することを特徴とする空気調和機の据付装置。
【請求項２】
前記受け金具に、前記位置調整ねじのゆるみ止め手段を設けたことを特徴とする請求項１記載の空気調和機の据付装置。
【請求項３】
前記ゆるみ止め手段を、一端が前記受け金具に固定され他端に前記位置調整ねじの頭部に係止する係止部が設けられたゆるみ止め金具によって構成したことを特徴とする請求項２記載の空気調和機の据付装置。
【発明の詳細な説明】
【技術分野】
【０００１】
本発明は、空気調和機の据付構造に関するものである。
【背景技術】
【０００２】
従来の空気調和機の据付装置に、空気調和機本体の相対する両側面に、梁に埋設された吊りボルトを通すための長穴を有する吊り金具を設け、この吊り金具を吊りボルトに挿入してナットと座金によりスパナ等を用いて仮固定すると共に、クランク状に折り曲げて形成された調整金具に設けた係止穴を吊り金具に取付けた段付ねじに係止させる。そして、この調整金具の下端部に設けた位置決め部が天井下面に接するまで空気調和機本体を吊上げて吊り金具を吊りボルトに固定することにより、天井開口部に対する高さ方向の位置決めをするようにしたものがある（例えば、特許文献１参照）。
【先行技術文献】
【特許文献】
【０００３】
【特許文献１】実開平７−６６３３号公報（第１−２頁、図１−２）
【発明の概要】
【発明が解決しようとする課題】
【０００４】
特許文献１の空気調和機の据付装置は、吊りボルトに挿入した吊り金具を、ナットと座金によりスパナ等を用いて高さ調整を行うようにしているため、位置調整が難しく、据付作業性、メンテナンス作業性が悪いという問題があった。
また、吊り金具に設けた調整金具の下端部を折り曲げて形成した位置決め部を天井下面に当接させて位置決めを行うため、位置決め部が変形したり、天井下面を押し上げたりすることにより高さ位置が微妙に変化し、正確な高さ位置の調整ができないという問題もあった。
【０００５】
本発明は、上記の課題を解決するためになされたもので、スパナ等を使用することなく、ドライバーにより容易かつ正確に高さ位置を調整することのできる空気調和機の据付装置を提供することを目的とするものである。
【課題を解決するための手段】
【０００６】
本発明に係る空気調和機の据付装置は、位置調整ねじを有し、本体部の対向する側壁に設けられた受け金具と、一端が前記本体部の対向する側壁に摺動可能に取付けられ、他端が吊りボルトに固定された吊り金具とを備え、前記位置調整ねじにより前記本体部を前記吊り金具に沿って上下方向に摺動させ、前記本体部の位置を調整するように構成したものであり、前記受け金具は、垂直片が前記本体部の対向する側壁に固定され、水平片に前記位置調整ねじが設けられる左右各一対のＬ字状の受け金具であり、前記吊り金具は、垂直片に上下方向に長い一対の長穴を有し、水平片に先端部に開口する切欠き部及び前記位置調整ねじが螺入されるナットが設けられた左右各一対のＬ字状の吊り金具であり、前記ナットは、前記切欠き部と前記吊り金具の垂直片との間に配置されており、前記吊り金具の垂直片を長穴を介して前記本体部の側壁に摺動可能に取付けると共に、前記水平片の切欠き部を前記吊りボルトに嵌合してナットで固定し、前記受け金具に設けた位置調整ねじを前記吊り金具の水平片に設けたナットに螺入して前記本体部の上下方向の位置を調整することを特徴とするものである。
【発明の効果】
【０００７】
本発明によれば、位置調整ねじをドライバー等で回転させることにより、本体部の高さ位置を容易かつ正確に調整することができるので、据付作業性を大幅に向上することができ、安定した据付作業、メンテナンス作業を行うことができる。
【図面の簡単な説明】
【０００８】
【図１】本発明の実施の形態１に係る空気調和機の据付装置の説明図である。
【図２】図１の吊り金具周辺の斜視図である。
【図３】実施の形態１の作用説明図である。
【図４】実施の形態２の吊り金具周辺の斜視図である。
【図５】図４の下面図である。
【図６】図４の受け金具及びゆるみ止め金具の斜視図である。
【図７】実施の形態２の他の例の吊り金具周辺の下面図である。
【図８】図７のゆるみ止め金具の斜視図である。
【発明を実施するための形態】
【０００９】
［実施の形態１］
本発明の実施の形態１に係る空気調和機の据付装置を示す図１〜図３において、１は下面が開口されたほぼ箱状の天井カセット形空気調和機の本体部で、内部には図示しない送風機、熱交換器などが設置されており、下面開口部は室内空気の吸込み口３、調和空気の吹出し口４を有する化粧パネル２により閉塞されている。２５は空気調和機の据付部に対応して梁等に埋込まれた左右各一対の吊りボルト、２８は室外機と連結する配管などである。
【００１０】
５は本体部１を据付けたときに、長手方向の左右の対向する吊りボルト２５を結ぶ線上において、それぞれ本体部１の両側壁に取付けられた各一対のＬ字状の受け金具で、垂直片が溶接等により本体部１の側壁に固定されており、水平片には調整ボルト挿通穴６が設けられている。
９は長手方向の左右の対向する吊りボルト２５を結ぶ線の両側において、本体部１の相対する両側壁に設けた各一対の貫通穴１ａの内壁面にそれぞれ固定されたナットである。
【００１１】
１５は本体部１を吊りボルト２５に取付けるための左右各一対の吊り金具である。この吊り金具１５は水平片が長いＬ字状に形成されており、本体部１の側壁に取付けられる垂直片には、本体部１の側壁に設けた貫通穴１ａに対応して、上下方向に長い一対の長穴１６が設けられている。また、水平片には、先端部に開口し吊りボルト２５に嵌合するほぼＵ字状の切欠き部１７が設けられており、さらに、この吊り金具１５を本体部１に取付けたときに、受け金具５に設けた調整ボルト挿通穴６と対向する位置に貫通穴１８が設けられて、この貫通穴１８の上面にはナット１９が固定されている。
【００１２】
次に、上記のような吊り金具１５等により空気調和機の天井への据付手順の一例について説明する。なお、各吊り金具１５は本体部１の側壁に固定されており、受け金具５の位置調整ねじ１０は吊り金具１５のナット１９に螺入されているものとする。
【００１３】
先ず、本体部１を天井３０に設けた開口部３１内に所定の位置まで引き上げて、各吊り金具１５に設けた切欠き部１７をそれぞれ吊りボルト２５に嵌合し、あらかじめ吊りボルト２５に設けておいたナット２６ａ、座金２７ａと、吊り金具１５の下から吊りボルト２５に嵌合した座金２７ｂ及び螺合したナット２６ｂとにより、吊り金具１５を挟んで固定し、その位置に保持する。
【００１４】
次に、位置調整ねじ１０を下からドライバー等で操作して正又は逆方向に回転させ、本体部１を垂直片に沿って上方又は下方に移動させて、本体部１の上下方向の位置を微調整して所定の高さ位置に位置決めする。なお、このとき、４か所に設けた位置調整ねじ１０により、本体部１の水平方向の位置も調整することができる。
【００１５】
最後に本体部１の下に化粧パネル２を設置して、本体部１の下面開口部及び天井３０の開口部３１を閉塞する。これにより、空気調和機の据付けが完了する。なお、上記の手順はその一例を示すもので、据付け場所の状態等によって適宜変更することができる。
【００１６】
本実施の形態によれば、空気調和機の本体部１の相対する両側壁に設けた位置調整ねじ１０を、ドライバー等で下から回転し、吊りボルト２５に固定された吊り金具１５に沿って本体部１を上下方向に移動させて微調整することにより、本体部１の高さ位置を容易かつ正確に調整することができるので、据付作業の作業性を大幅に向上することができ、安定した据付作業及びメンテナンス作業を行うことができる。
【００１７】
［実施の形態２］
図４は本発明の実施の形態２に係る空気調和機の据付装置の吊り金具周辺の斜視図、図５は図４の下面図、図６は図４の受け金具及びゆるみ止め金具の斜視図である。なお、実施の形態１と同じ部分には同じ符号を付してある。
本実施の形態は、実施の形態１の本体部１の受け金具５に設けられた空気調和機の位置を調整する位置調整ねじ１０のゆるみを防止するためのゆるみ止め手段を設けたものである。
【００１８】
本実施の形態においては、受け金具５ａはゆるみ止め手段を構成するために、水平片の幅方向の一端を図の下方にＬ字状に折り曲げて、水平片と平行な水平部にねじ挿通穴８を有する取付部７を形成したものである。
【００１９】
また、ゆるみ止め手段を構成するゆるみ止め金具１１はほぼＳ字状に形成され、ねじ挿通穴１２を有し受け金具５ａの取付部７に固定される第１の水平部からなる固定部１１ａと、その上方の第２の水平部１１ｂに設けられ、位置調整ねじ１０の頭部の形状（六角形）に対応した形状（ほぼ五角形）に形成されて先端部に開口する係止部１３とからなっている。
【００２０】
上記のように構成した本実施の形態において、受け金具５ａに設けた位置調整ねじ１０により本体部１の位置調整が終了したときは、ゆるみ止め金具１１の係止部１３を位置調整ねじ１０の頭部に下から嵌合し、その固定部１１ａを受け金具５ａの取付部７にねじ１４で固定する。これにより、位置調整ねじ１０は回転が防止される。なお、この場合、ゆるみ止め金具１１はその固定部１１ａの側縁が、受け金具５ａの垂直片に当接しているので、ゆるみ止め金具１１自体が回転することはない。
【００２１】
図７は本実施の形態のゆるみ止め金具１１の他の例を示すもので、本例においては、図８に示すように、ゆるみ止め金具１１の第２の水平片１１ｂに設けた係止部１３ａを、位置調整ねじ１０の頭部の形状（六角形）に対応したほぼＵ字状に形成し、その内周面を鋸歯状に形成したものである。
本例においても、図６のゆるみ止め金具１１と同様の作用、効果を得ることができるが、特に係止部１３ａを鋸歯状に形成したので、位置調整ねじ１０の締め位置に関係なくゆるみ止めを行うことができる。
【００２２】
本実施の形態によれば、空気調和機の本体部の位置を調整したのち、位置調整ねじ１０の頭部に、受け金具５ａと一体的に設けたゆるみ止め金具１３（又は１３ａ）を係止させて、位置調整ねじ１０のゆるみ（回転）を防止するようにしたので、より安定かつ確実に空気調和機の据付作業、メンテナンス作業を行うことができる。
【符号の説明】
【００２３】
１  空気調和機の本体部、２  化粧パネル、５，５ａ  受け金具、１０  位置調整ねじ、１１  ゆるみ防止金具、１３，１３ａ  係止部、１５  吊り金具、１６  長穴、１７  切欠き部、１９  ナット、２０  段付きねじ、２５  吊りボルト、２６ａ，２６ｂ  ナット、３０  天井。
【図１】
0005424931.tif 000002
【図２】
0005424931.tif 000003
【図３】
0005424931.tif 000004
【図４】
0005424931.tif 000005
【図５】
0005424931.tif 000006
【図６】
0005424931.tif 000007
【図７】
0005424931.tif 000008
【図８】
0005424931.tif 000009